(57)【特許請求の範囲】
【請求項１】
外面板(20,20)と内面板(23,23)との間に断熱材(22)を介設させて断熱構造を少なくとも側壁部(12,13)に形成し、前記側壁部(12,13)の外面板(20,20)に、複数の外面板形成片(20a、20a、20a、20a)を前後に隣接させて形成すると共に、隣接した外面板形成片(20a、20a、20a、20a)の側端縁部(20b、20b)間に上下方向に伸延して前後方向の歪みを吸収する歪み吸収部(21)を介設する冷凍庫の側壁部の製造方法であって、
内面板(23,23)上に断熱材(22)を接着して載置し、四角形筒状に形成してその内部に充填用断熱材(25)を充填することにより前後方向の歪みを吸収する吸収部本体(24)を断熱材(22)に接着して載置し、これら断熱材(22)と吸収部本体(24)との上に外面板(20,20)を接着して載置する工程と、
積層状態となした外面板(20,20)と断熱材(22)と吸収部本体(24)と内面板(23,23)とを加圧して接着させる工程と、
外面板(20,20)と吸収部本体(24)とが重合している部分を切削して、隣接した外面板形成片(20a、20a、20a、20a)の側端縁部(20b、20b)間に一定の間隙(t)を配置して歪み吸収部(21)を介設すると共に、吸収部本体(24)の一辺である外壁(24a)中央部に、間隙(t)と符合する縦溝(26)を形成する工程と、
隙間覆い体(27)により間隙(t)と縦溝(26)とを被覆する工程と、を有することを特徴とする冷凍庫の側壁部の製造方法。
【発明の詳細な説明】
【技術分野】
【０００１】
本発明は、冷凍装置を具備する断熱構造の冷凍庫（冷凍ボックスや冷凍コンテナ等)に関するものであり、同冷凍庫は、定置式として使用される場合と、冷凍車等のように荷台に載置されて輸送式として使用される場合とがある。
【背景技術】
【０００２】
従来、冷凍車の一形態として、断熱構造となした壁部を箱型に形成した冷凍庫としての冷凍用荷箱を具備するものがある（例えば、特許文献１参照）。
【０００３】
そして、冷凍用荷箱の左・右側壁部は、前後方向に伸延する四角形状の外面板と内面板との間に断熱材を介設して形成しており、同外面板は、前後方向に伸延する凸部と凹部とを上下方向に交互に配置したジグザグ形状となして、強度を確保している。
【特許文献１】特開平８−３１３１５０号公報
【発明の開示】
【発明が解決しようとする課題】
【０００４】
ところが、上記した冷凍車の冷凍用荷箱では、美観に物足りなさがあるため、近年では、外面板を平滑面となして、美感の向上に努めている。
【０００５】
しかしながら、外面板を平滑面となした場合、夏場等においては４０℃前後の外気に直接触れる外面板の表面と、−３０℃〜−１８℃に保冷される保冷用荷箱側の裏面とでは、温度差が大きいために、熱膨張による歪み変形が生じて、美観を良好に確保できないという不具合がある。
【課題を解決するための手段】
【０００６】
そこで、本発明では、外面板と内面板との間に断熱材を介設させて断熱構造を少なくとも側壁部に形成し、前記側壁部の外面板に、複数の外面板形成片を前後に隣接させて形成すると共に、隣接した外面板形成片の側端縁部間に上下方向に伸延して前後方向の歪みを吸収する歪み吸収部を介設する冷凍庫の側壁部の製造方法であって、内面板上に断熱材を接着して載置し、四角形筒状に形成してその内部に充填用断熱材を充填することにより前後方向の歪みを吸収する吸収部本体を断熱材に接着して載置し、これら断熱材と吸収部本体との上に外面板を接着して載置する工程と、積層状態となした外面板と断熱材と吸収部本体と内面板とを加圧して接着させる工程と、外面板と吸収部本体とが重合している部分を切削して、隣接した外面板形成片の側端縁部間に一定の間隙を配置して歪み吸収部を介設すると共に、吸収部本体の一辺である外壁中央部に、間隙と符合する縦溝を形成する工程と、隙間覆い体により間隙と縦溝とを被覆する工程と、を有することを特徴とする冷凍庫を提供するものである。
【発明の効果】
【０００７】
（１）請求項１記載の本発明では、外面板と内面板との間に断熱材を介設させて断熱構造を少なくとも側壁部に形成し、前記側壁部の外面板に、複数の外面板形成片を前後に隣接させて形成すると共に、隣接した外面板形成片の側端縁部間に上下方向に伸延して前後方向の歪みを吸収する歪み吸収部を介設する冷凍庫の側壁部の製造方法であって、内面板上に断熱材を接着して載置し、四角形筒状に形成してその内部に充填用断熱材を充填することにより前後方向の歪みを吸収する吸収部本体を断熱材に接着して載置し、これら断熱材と吸収部本体との上に外面板を接着して載置する工程と、積層状態となした外面板と断熱材と吸収部本体と内面板とを加圧して接着させる工程と、外面板と吸収部本体とが重合している部分を切削して、隣接した外面板形成片の側端縁部間に一定の間隙を配置して歪み吸収部を介設すると共に、吸収部本体の一辺である外壁中央部に、間隙と符合する縦溝を形成する工程と、隙間覆い体により間隙と縦溝とを被覆する工程と、を有する。
【０００８】
このようにして、外面板と吸収部本体とが重合している部分を切削装置により切削することにより、間隙と縦溝とを同時に形成して、歪み吸収部を簡単に形成することができすることができる。
【０００９】
この際、歪み吸収部は、上下方向に伸延して前後方向の歪みを吸収するようにしているため、前後方向に伸延する四角形状に形成した外面板及び／又は内面板の前後方向の歪みを確実に吸収することができる。
【発明を実施するための最良の形態】
【００１０】
図１〜図３に示すＡは、本発明に係る冷凍庫としての保冷室３を装備する冷凍車であり、同冷凍車Ａは、車体フレーム１の前部上に運転部を配設したキャビン２を設け、同キャビン２の後方位置に冷凍用荷箱としてのバン型の保冷室３を載設し、前記キャビン２の下方位置に前車輪4,4を設けるとともに、前記保冷室３の中途部下方位置には後車輪5,5を設けている。
【００１１】
そして、前記車体フレーム１の左側前部に冷凍装置６を設け、同冷凍装置６に連通連結した冷気吹き出し部７を前記保冷室３の前壁上部に取り付けている。
【００１２】
保冷室３は天井部８と床部９と前・後壁部10,11と左・右側壁部12,13とから前後縦長の箱形に形成している。14は、左側壁部12に設けた観音開き式の側部扉体、15は、後壁部11に設けた観音開き式の後部扉体である。
【００１３】
上記のような構成において、本発明の要旨は、図１及び図２に示すように、保冷室３を形成する少なくとも左・右側壁部12,13の外面板20,20は、前後方向に伸延する四角形状に形成すると共に、各外面板の中途部に上下方向に伸延して前後方向の歪みを吸収する歪み吸収部21を設けたことにある。
【００１４】
ここで、左側壁部12は、図１に示すように、側部扉体14を設けている関係上、歪み吸収部21を外面板20の後部に一個所設けているだけであるが、右側壁部13は、前部と中央部と後部の三個所に設けている点において異なるが、左側壁部12と右側壁部13の基本的構造は同じであることより、以下に、図４及び図５を参照しながら右側壁部13についてその構造を説明する。
【００１５】
すなわち、右側壁部13は、図４及び図５に示すように、前後方向に伸延する四角形板状の外面板20と断熱材22と内面板23とを、内外側方向に重合させた構造となし、外面板20の前部と中央部と後部の三個所に歪み吸収部21,21,21を設けている。
【００１６】
そして、外面板20と内面板23としては、例えば、アルミニウム板材を使用することができ、また、断熱材22としては、例えば、スチレンフォームを使用することができる。
【００１７】
また、外面板20は、図４及び図５に示すように、複数（本実施の形態では４枚）の外面板形成片20a,20a,20a,20aを前後方向に隣接させると共に、各外面板形成片20a,20a,20a,20aの前後方向に隣接する各側端縁部20b,20b間に一定の間隙ｔを開けて配置し、両側端縁部20b,20b間に上下方向に伸延する歪み吸収部21を介設して、同歪み吸収部21を右側壁部13内に配置している。
【００１８】
歪み吸収部21は、図４及び図５に示すように、上下方向に伸延する略四角形筒状の吸収部本体24内に、上下方向に伸延する凹条空間Ｓを形成し、同凹条空間Ｓ内に、例えば、スチレンフォーム等の充填用断熱材25を充填している。ここで、吸収部本体24は、例えば、アルミニウムにより成形することができる。
【００１９】
そして、吸収部本体24は、外面板20の上下幅Ｈと略同一の上下幅に形成すると共に、外壁24aの中央部に上下方向に伸延して前記間隙ｔと符合する縦溝26を形成して、同外壁24aを左側外壁24aと右側外壁24aとに二分割し、前後方向に隣接する外面板形成片20a,20aの内面に、それぞれ上記左・右側外壁24a,24aの外面を接着剤により接着すると共に、内壁24bと左右側壁24c,24dを断熱材22中に密着させている。
【００２０】
また、間隙ｔを通して縦溝26には、間隙覆い体27を装着して、同間隙ｔを被覆しており、同間隙覆い体27は、上下方向に伸延して間隙ｔよりも前後方向に幅広の覆い本片27aと、同覆い本体27aの内面より延設した係止片27bとを、弾性力を有する合成樹脂により成形して、係止片27bを間隙ｔを通して縦溝26中に挿入すると共に、吸収部本体24の左・右側外壁24a,24aの内面に係止させることができるようにしている。
【００２１】
しかも、係止片27bは、少なくとも外面板形成片20a,20a同士の歪み方向である前後方向に、両外面板形成片20a,20aの歪み量だけ伸縮自在となして、歪み吸収部21による歪み吸収に支障とならないようにしている。
【００２２】
このようにして、外気の温度と保冷室３内の温度との間に大きな温度差がある場合に、外面板20が熱膨張により歪みを生じたとしても、隣接する外面板形成片20a,20aの側端縁部20b,20b間に、上下方向に伸延する歪み吸収部21を介設しているため、同歪み吸収部21により隣接する外面板形成片20a,20a同士の前後方向の歪みを確実に吸収することができる。
【００２３】
この際、外面板形成片20a,20aの側端縁部20b,20bは、歪み吸収部21に設けた吸収部本体24の左・右側外壁24a,24aが支持しており、同左・右側外壁24a,24aは、吸収部本体24自体の変形により、両外面板形成片20a,20a間に形成された間隙ｔと符合する縦溝26を介して前後方向に接近・離隔移動して、外面板形成片20a,20aの前後方向の歪みを確実に吸収することができる。
【００２４】
しかも、吸収部本体24は、外面板20に連設した強度部材としても有効利用することができて、同外面板20の剛性を良好に確保することができる。
【００２５】
次に、上記のように構成した歪み吸収部21を具備する右側壁部13の製造方法について、図６に示す製造工程図を参照しながら説明する。
【００２６】
（１）図６（ａ）に示すように、内面板23上に断熱材内層部22aを接着剤により接着して載置し、同断熱材内層部22a上に断熱材外層部22b,22bと、四角形筒状に形成した吸収部本体24とを接着剤により接着して載置し、これら断熱材外層部22b,22bと吸収部本体24との上に外面板20を接着剤により接着して載置する。
【００２７】
この際、断熱材22は、断熱材内層部22aと断熱材外層部22b,22bとに分割して形成しておくと共に、吸収部本体24は四角形筒状に形成して、内部に充填用断熱材25を充填しておく。
【００２８】
（２）図６（ｂ）に示すように、積層状態となした外面板20と断熱材内・外層部22a,22b,22bと吸収部本体24と内面板23とを加圧装置（図示せず）により加圧して接着させる。
【００２９】
（３）図６（ｃ）に示すように、外面板20と吸収部本体24とが重合している部分を切削装置（図示せず）により切削して、間隙ｔと縦溝26とを同時に形成すると共に、外面板形成片20a,20aを形成する。
【００３０】
この際、例えば、外面形成片20aの歪み量を１mm〜２mmと仮定すると、間隙ｔを６mmに設定することができる。
【００３１】
（４）図６（ｄ）に示すように、間隙ｔを通して縦溝26に覆い本片27aの係止片27bを挿入すると共に、吸収部本体24の左・右側外壁24a,24aの内面に係止させて、間隙ｔを覆い本片27aにより被覆する。
【００３２】
このようにして、本実施の形態では、外面板20と吸収部本体24とが重合している部分を切削装置により切削することにより、間隙ｔと縦溝26とを同時に形成して、歪み吸収部21を簡単に形成することができる。
【図面の簡単な説明】
【００３３】
【図１】本発明に係る冷凍庫を装備する冷凍車の左側面図。
【図２】同冷凍車の右側面図。
【図３】同冷凍車の背面図。
【図４】右側壁部の正面図。
【図５】図４のI-I線断面図。
【図６】右側壁部の製造工程説明図。
【符号の説明】
【００３４】
Ａ  冷凍車
12  左側壁部
13  右側壁部
20  外面板
21  歪み吸収部
22  断熱材
23  内面板
24  吸収部本体
25  充填用断熱材
26  縦溝
27  間隙覆い体
【図１】
0004598661.tif 000002
【図２】
0004598661.tif 000003
【図３】
0004598661.tif 000004
【図４】
0004598661.tif 000005
【図５】
0004598661.tif 000006
【図６】
0004598661.tif 000007